(57)【要約】【課題】薬剤分包紙用管に汎用性をもたらすため薬剤分包紙用管用アダプター及びそのアダプター付き薬剤分包紙用管を提供すること。【解決手段】本発明の薬剤分包紙用管アダプターは、２つの同型の半円筒型の本体部材と，当該半円筒型の本体部材の両側端部に設けられた凸状部材と，当該半円筒型の本体部材の外周の所定の箇処に設けられたスプリング部材と，からなる。又、本発明のアダプター付き薬剤分包紙用管用は、薬剤分包紙用管の上部円周に請求項１又は２記載の２つの同型の半円筒型の本体部材を接着させ，当該薬剤分包紙用管の下部円周に、請求項１記載の２つの同型の半円筒型の本体部材を接着させたことからなる。【選択図】    図８
2004187977.tif 000002
【特許請求の範囲】
【請求項１】
２つの同型の半円筒型の本体部材（１，１’）と，当該半円筒型の本体部材（１，１’）の両側端部に設けられた凸状部材（２，２’）と，当該半円筒型の本体部材（１，１’）の外周の所定の箇処に設けられたスプリング部材（３，３’）と，からなることを特徴とする薬剤分包紙用管用アダプター。
【請求項２】
前記半円筒型の本体部材（１，１’）の頂部の所定の円周上にピン（４，４’）が設けられていることを特徴とする請求項１に記載の薬剤分包紙用管用アダプター。
【請求項３】
薬剤分包紙用管（５）の上部円周に請求項１又は２記載の２つの同型の半円筒型の本体部材（１，１’）を接着させ，当該薬剤分包紙用管（５）の下部円周に、請求項１記載の２つの同型の半円筒型の本体部材（６，６’）を接着させたことからなることを特徴とするアダプター付き薬剤分包紙用管。
【発明の詳細な説明】
【０００１】
【発明の属する技術分野】
本発明は、薬剤包装装置に使用される薬剤分包紙用管用アダプター及び当該アダプター付き薬剤分包紙用管に関する。
【０００２】
【従来の技術】
従来、薬剤包装装置本体に設けられている分包紙軸の直径等の形状がメーカーによって異なるため、当該軸に装着される主管（薬剤分包紙用管）の形状、例えば縦の長さ、直径等が異なっていた。
このため、たとえばＡメーカーの薬剤包装装置にはＡメーカーの主管を使用し、Ｂメーカーの薬剤包装装置にはＢメーカーの主管を使用しなければならず、即ち各メーカーの主管を使用しなければならず、即ち各メーカーの主管を使用しなければならず、汎用性がなかった。
【０００３】
薬剤分包紙用管等については、薬剤包装装置による分包紙の種別識別を可能とする分包紙用紙管及び分包紙ロールに関する技術（例えば、特許文献１参照）、又巻き回されている熱溶着性シートの種別を自動的に判別し得る、汎用性のある分包紙用紙管に関する技術（例えば、特許文献２）が示されている。
【０００４】
〔特許文献１〕
特開2002-11074号公報（発明の詳細な説明0006）
〔特許文献１〕
特開2002-316774号公報（発明の詳細な説明0008）
【０００５】
【発明が解決しようとする課題】
しかし、前記の如く、薬剤分包紙用管は汎用性がなく、又汎用性のある薬剤分包紙用管が存在していないし、先行技術においても汎用性のある薬剤分包紙用管が示されていない。
【０００６】
そこで、本発明は、薬剤分包紙用管に汎用性をもたらすため薬剤分包紙用管用アダプター及びそのアダプター付き薬剤分包紙用管を提供することを目的とする。
【０００７】
【課題を解決するための手段】
前記目的を達成するため、本発明の薬剤分包紙用管アダプターは、２つの同型の半円筒型の本体部材と，当該半円筒型の本体部材の両側端部に設けられた凸状部材と，当該半円筒型の本体部材の外周の所定の箇処に設けられたスプリング部材と，からなる。
【０００８】
前記半円筒型の本体部材の頂部の所定の円周上にピンが設けられていることが好適である。
【０００９】
さらに、本発明のアダプター付き薬剤分包紙用管用は、
薬剤分包紙用管の上部円周に請求項１又は２記載の２つの同型の半円筒型の本体部材を接着させ，当該薬剤分包紙用管の下部円周に、請求項１記載の２つの同型の半円筒型の本体部材を接着させたことからなる。
【００１０】
半円筒型の本体部材の両側端部に設けられた凸状部材は主管（薬剤分包紙用管）の形状、直径等が異なっているため、使用する主管の種類により分包紙を巻く管（段ボールが好適である。）の直径に適合させるため高さが異なっている。
分包紙を巻く管の直径は一定である。又同様にスプリング部材の高さ及びピンの長さも使用する主管の種類により異なっており、それにより分包紙を巻く管の直径に適合するようになっている。
【００１１】
スプリング部材は分包紙を巻く管に主管がしっかりと適合させやすくするために設けられたものであり、ピンはストッパーの役割をするものであり、薬剤分包紙が折れたりしないように正規の位置に薬剤分包紙用管を分包紙を巻く管に適合させ、かつ走行を安定させる役割をするものである。
【００１２】
ピンは薬剤分包紙用管の上部円周に接着する２つの同型の半円筒型の本体部材に設けられ、当該薬剤分包紙用管の下部円周に接着する２つの同型の半円筒型の本体部材には設けられていない。分包紙を巻く管にひっかかってしまうからである。
又薬剤分包紙用管自体にピンが設けられている場合等は前記上部円周に接着する２つの同型の半円筒型の本体部材にピンを設ける必要はない。
【００１３】
分包紙を巻く管は経済性（値段が安い）、弾力性等を考慮して段ボールが好適である。
【００１４】
【発明の実施の形態】
以下本発明の実施の形態の一例を図面に基づいて説明する。
【００１５】
図１，図２，図３はスプリング部材３，３’を正面にしてみた２つの同型の半円筒型の本体部材１，１’の斜視図を示す図であり、図１は略長方形状の凸状部２，２’の低いものを示し、図２は略長方形状の凸状部２，２’の高さの中程度のものを示し、図３は略長方形状の凸状部２，２’の高さの高いものを示している。
図１〜図３に示すように凸状部２，２’の高さの相違は薬剤分包紙用管５の直径が各メーカーによって異なるため分包紙を巻く管７の直径に適合させるためである。又図中矢印は上方向を示す。
【００１６】
図４〜図６は凸状部２，２’を正面にしてみた２つの同型の半円筒型の本体部材１，１’の斜視図を示す図であり、図４はスプリング部材３，３’の高さの低いものを示し、図５はスプリング部材３，３’の高さの中程度のものを示し、図６はスプリング部材３，３’の高さの高いものを示している。図４〜図６に示すようにスプリング部材の高さの相違は、同様に、薬剤分包紙用管５の直径が各メーカーによって異なるため分包紙を巻く管７の直径にスプリングの弾力性を利用し、しっかりと適合させるためである。
【００１７】
ピン４，４’はそれ以上薬剤分包紙用管５が分包紙を巻いた管７にそれ以上入らないようストッパーの役割を示すものであり、薬剤分包紙用管５の下部円周上に接着させる半円筒型の本体部材６，６’には分包紙を巻く管７にひっかかってしまうためついていない。又薬剤分包紙用管にピン（ストッパー）が設けられている場合も、不要なためその上部円周にピン４，４’を設ける必要はない。ピン４，４’の長さも凸状部材２，２’，スプリング部材３，３’と同様の理由により異なっている。
【００１８】
半円筒型の本体部材１，１’，６，６’，凸状部材２，２’，スプリング部材３，３’ 凸状部材４，４’，はプラスチック製のものが経済性を考慮して好適である。なお、図中矢印は上方向を示す。
【００１９】
図７は薬剤分包紙用管５の上部円周に接着させる２つの同型の半円筒型の本体部材１，１’を又、その下部に接着させる半円筒型の本体部材６，６’の接着しようとする状態を示す図であり、矢印は接着する方向を示している。同型の２つの半円筒型の本体部材１，１’，６，６’を各々作製して、薬剤分包紙用管５に接着するものである。接着剤は両面テープ等接着剤であれば何でも良い。
【００２０】
図８は図７により作製したアダプター付き薬剤分包紙用管５を分包紙を巻く管７に嵌合する状態を示す図であり、本発明の使用状態を示している図である。
【００２１】
【発明の効果】
本発明は以上の構成を有するので、薬剤分包紙用管に汎用性をもたらすことが出来、又簡単にかつ低費用で作製することが出来るものである。
【図面の簡単な説明】
【図１】スプリング部材を正面にしてみた２つの同型の半円筒型の本体部材を示す斜視図である。
【図２】スプリング部材を正面にしてみた２つの同型の半円筒型の本体部材を示す斜視図である。
【図３】スプリング部材を正面にしてみた２つの同型の半円筒型の本体部材を示す斜視図である。
【図４】凸状部を正面にしてみた２つの同型の半円筒型の本体部材を示す斜視図である。
【図５】凸状部を正面にしてみた２つの同型の半円筒型の本体部材を示す斜視図である。
【図６】凸状部を正面にしてみた２つの同型の半円筒型の本体部材を示す斜視図である。
【図７】薬剤分包紙用管の上部円周に接着させる２つの同型の半円筒型の本体部材を、又その下部円周に接着させる半円筒型の本体部材の接着しようとする状態を示す図である。
【図８】図７により作製したアダプター付き薬剤分包紙用管を分包紙を巻く管に嵌合する状態を示す図である。
【符号の説明】
１，１’        半円等型の本体部材
２，２’        凸状部材
３，３’        スプリング部材
４，４’        ピン
５              薬剤分包紙用管
６，６’        半円等型の本体部材
７              分包紙を巻く管
【図１】
2004187977.tif 000003
【図２】
2004187977.tif 000004
【図３】
2004187977.tif 000005
【図４】
2004187977.tif 000006
【図５】
2004187977.tif 000007
【図６】
2004187977.tif 000008
【図７】
2004187977.tif 000009
【図８】
2004187977.tif 000010